(57)【要約】  【課題】  接点接触式のＩＣカードに記憶されたデータを基に外部と無線通信を行う狭域通信装置において、ＩＣカードコネクタとＩＣカードとの接触不良等を検出する。  【解決手段】  比較器２１ａとＡＮＤ回路２１ｂを備えたＩＣカード異常検出部２１が、ＩＣカード１２に電力を供給する電源１４とＩＣカードコネクタ１３のコンタクトピン１３ａとの間に設けられた抵抗器２２の両端部の電圧降下を検出し、その検出結果をスピーカ１９または表示器２０を通じて運転者に報知するので、この狭域通信装置を自動料金収受装置に利用した場合でも、事前にＩＣカードの動作不良を確認することができ、料金所をスムーズに通過することができる。【選択図】  図１
2005202772.tif 000002
【特許請求の範囲】
【請求項１】
接点接触式のＩＣカードに記憶されたデータを基に外部と無線通信を行う狭域通信装置であって、前記ＩＣカードの接点に接触するコンタクト電極を有するＩＣカードコネクタと、前記ＩＣカードが前記ＩＣカードコネクタ内に挿入されているか否かを検出するＩＣカード検出手段と、前記ＩＣカードコネクタ内に挿入された前記ＩＣカードの動作が正常か否かを検出するＩＣカード異常検出手段とを備えたことを特徴とする狭域通信装置。
【請求項２】
前記ＩＣカード異常検出手段が、前記ＩＣカードに電力を供給する電源と前記コンタクト電極との間に設けられた抵抗器と、前記抵抗器の両端部の電圧をそれぞれ入力とする比較器と、前記比較器の出力と前記ＩＣカード検出手段からの出力との論理積を取るＡＮＤ回路とを備えたことを特徴とする請求項１記載の狭域通信装置。
【請求項３】
前記ＩＣカード異常検出手段の出力を基に前記ＩＣカードの動作状態を報知する手段を備えたことを特徴とする請求項１または請求項２記載の狭域通信装置。
【請求項４】
請求項１ないし請求項３のいずれかに記載の狭域通信装置を用いた自動料金収受装置。
【発明の詳細な説明】
【技術分野】
【０００１】
本発明は、狭域通信（ＤＳＲＣ：Dedicated Short Range Communication）装置に関する。
【背景技術】
【０００２】
従来の狭域通信装置は、例えばＥＴＣ（Electronic Toll Collection System）と呼ばれる自動料金収受装置に使用されている。これは、５．８ＧＨｚ帯の電波を利用して、有料道路の料金所近傍の狭い範囲内だけで路側機と車載器との間で無線通信を行うものである（例えば、特許文献１参照）。図２は従来のＥＴＣ用の狭域通信装置の構成を示している。狭域通信装置１は、有料道路の料金収受をＩＣカード２を用いて行う。このＩＣカード２は接点２ａを有する接触式のもので、狭域通信装置１のＩＣカードコネクタ３は、ＩＣカード２の接点２ｑに接触するコンタクトピン３ａを備えており、このコンタクトピン３ａを通じてＩＣカード２に電源４から電力が供給される。また、コンタクトピン３ａにはＩＣカードＩ／Ｆ５が接続され、ＩＣカードＩ／Ｆ５は、ＩＣカード２内のメモリに対しデータの読み書きを行う読み書き部５ａを備えている。ＩＣカードコネクタ３にはまた、ＩＣカード検出スイッチ６が設けられており、ＩＣカードコネクタ３内にＩＣカード２が奥まで挿入されるとオンする。制御部７は、装置全体を制御するＣＰＵであり、路側機との間で無線通信を行う無線部８と、報知手段であるスピーカ９および液晶ディスプレイまたはＬＥＤからなる表示器１０と、ＩＣカードＩ／Ｆ５およびＩＣカード検出スイッチ６等が接続されている。
【０００３】
ＩＣカードコネクタ３にＩＣカード２が挿入されると、ＩＣカードコネクタ３のコンタクトピン３ａからＩＣカード２の接点２ａに電源４からの電力が供給され、ＩＣカード２が動作する。さらに、ＩＣカードコネクタ３にＩＣカード２が挿入されたことがＩＣカード検出スイッチ６により検出され、その旨が制御部７からスピーカ９または表示器１０を通じて運転者に報知される。そして、車両が料金所の路側機の通信エリア内に入ると、無線部８を通じて路側機と無線通信が行われ、必要なデータがＩＣカード２から読み出されて有料道路の料金の自動収受が行われ、その結果が読み書き部４を通じてＩＣカード２に書き込まれる。
【０００４】
このように、従来の狭域通信装置でも、ＩＣカードコネクタにＩＣカードが挿入されたか否かをＩＣカード検出スイッチにより検出し、ＩＣカードが挿入されている場合には、その旨が予めスピーカまたは表示器により報知されるので、有料道路の料金所に来てから初めてＩＣカードの未挿入が分かるようなことがなく、料金所をスムーズに通過することができる。
【特許文献１】特開２００２−２４５４９７号公報
【発明の開示】
【発明が解決しようとする課題】
【０００５】
しかしながら、従来の狭域通信装置では、ＩＣカードコネクタにＩＣカードが挿入されたことは検出できるが、ＩＣカードコネクタとＩＣカードとの接触不良は検出することができず、接触不良のために未挿入と同等の処理が行われるため、料金所をスムーズに通過することができないという問題があった。
【０００６】
本発明は、このような従来の問題を解決するためになされたもので、ＩＣカードコネクタとＩＣカードとの接触不良等を検出することのできる狭域通信装置を提供することを目的とする。
【課題を解決するための手段】
【０００７】
本発明の狭域通信装置は、接点接触式のＩＣカードに記憶されたデータを基に外部と無線通信を行う狭域通信装置であって、前記ＩＣカードの接点に接触するコンタクト電極を有するＩＣカードコネクタと、前記ＩＣカードが前記ＩＣカードコネクタ内に挿入されているか否かを検出するＩＣカード検出手段と、前記ＩＣカードコネクタ内に挿入された前記ＩＣカードの動作が正常か否かを検出するＩＣカード異常検出手段とを備えた構成を有している。
【０００８】
この構成により、ＩＣカード検出手段によりＩＣカードがＩＣカードコネクタ内に挿入されているか否かを検出するとともに、ＩＣカード異常検出手段によりＩＣカードコネクタ内に挿入されたＩＣカードの動作が正常か否かを検出するので、ＩＣカードコネクタとＩＣカードとの接触不良等を検出することができる。
【０００９】
また、本発明の狭域通信装置は、前記ＩＣカード異常検出手段が、前記ＩＣカードに電力を供給する電源と前記コンタクト電極との間に設けられた抵抗器と、前記抵抗器の両端部の電圧をそれぞれ入力とする比較器と、前記比較器の出力と前記ＩＣカード検出手段からの出力との論理積を取るＡＮＤ回路とを備えた構成を有している。
【００１０】
この構成により、ＩＣカードが正しくＩＣカードコネクタに挿入されていることと、ＩＣカードの接点が正しく接触していることの２つの条件が満たされている場合には、ＡＮＤ回路の出力が“１”になるので、ＩＣカードの動作が正常か否かを検出することができる。
【００１１】
また、本発明の狭域通信装置は、前記ＩＣカード異常検出手段の出力を基に前記ＩＣカードの動作状態を報知する手段を備えた構成を有している。この構成により、ＩＣカードの動作が正常か否かを予め知ることができる。
【００１２】
また、本発明は、上記した狭域通信装置を用いた自動料金収受装置であり、ＩＣカードコネクタとＩＣカードとの接触不良等を予め検出することができるので、有料道路の料金所の路側機との間の通信を円滑に行うことができ、料金所をスムーズに通過することができる。
【発明の効果】
【００１３】
本発明は、接点接触式のＩＣカードに記憶されたデータを基に外部と無線通信を行う狭域通信装置において、ＩＣカードがＩＣカードコネクタ内に挿入されているか否かを検出するＩＣカード検出手段と、ＩＣカードコネクタ内に挿入されたＩＣカードの動作が正常か否かを検出するＩＣカード異常検出手段とを設けることにより、ＩＣカードコネクタとＩＣカードとの接触不良等を検出できるという効果を有する狭域通信装置を提供することができる。
【発明を実施するための最良の形態】
【００１４】
以下、本発明の実施の形態における自動料金収受装置としての狭域通信装置について、図面を用いて説明する。図１は本実施の形態における狭域通信装置１１の構成を示している。図１において、狭域通信装置１１は、接点１２ａを有する接触式のＩＣカード１２を着脱するＩＣカードコネクタ１３を備えている。ＩＣカードコネクタ１３は、ＩＣカード１２の接点１２ａに接触するコンタクトピン１３ａを備えており、このコンタクトピン１３ａを通じてＩＣカード１２に電源１４から電力が供給される。また、コンタクトピン１３ａにはＩＣカードＩ／Ｆ１５が接続され、ＩＣカードＩ／Ｆ１５は、ＩＣカード１２内のメモリに対しデータの読み書きを行う読み書き部１５ａを備えている。ＩＣカードコネクタ１３にはまた、ＩＣカード検出スイッチ１６が設けられており、ＩＣカードコネクタ１３内にＩＣカード１２が奥まで挿入されるとオンし、そのオン信号をＩＣカード異常検出部２１を介して制御部１７に伝える。制御部１７は、装置全体を制御するＣＰＵであり、路側機との間で無線通信を行う無線部１８と、報知手段であるスピーカ１９および液晶ディスプレイまたはＬＥＤからなる表示器２０と、ＩＣカードＩ／Ｆ１５およびＩＣカード検出スイッチ１６、ＩＣカード異常検出部２１等が接続されている。ＩＣカード異常検出部２１は、電源１４に接続された抵抗器２２の両端部の電圧を比較する比較器２１ａと、その比較結果とＩＣカード検出スイッチ１６からの出力との論理積を取るＡＮＤ回路２１ｂとを備えている。
【００１５】
以上のように構成された狭域通信装置について、その動作を説明する。まず、ＩＣカードコネクタ１３にＩＣカード１２が挿入されると、ＩＣカードコネクタ１３のコンタクトピン１３ａからＩＣカード１２の接点１２ａに電源１４からの電力が抵抗器２２を介してが供給される。これにより、ＩＣカード１２に電流が流れて動作状態となると、抵抗器２２の両端部で電圧降下が生じ、ＩＣカード異常検出部２１の比較器２１ａが電圧降下が生じたことを示す信号をＡＮＤ回路２１ｂの入力端ａに出力し、さらにＩＣカード検出スイッチ１６によりＩＣカードコネクタ１３にＩＣカード１２が挿入されたことを示す信号がＡＮＤ回路２１ｂの別の入力端ｂに入力されると、ＡＮＤ回路２１ｂは、その論理積を取って“１”を出力端ｃから制御部１７に出力するので、制御部１７ではＩＣカード１２が正常に動作していると判断して、スピーカ１９または表示器２０を通じてその旨を運転者に知らせる。そして、車両が料金所の路側機の通信エリア内に入ると、無線部１８を通じて路側機と無線通信が行われ、必要なデータがＩＣカード１２から読み書き部１５ａを通じて読み出され、有料道路の料金の自動収受が行われ、その結果が再び読み書き部１５ａを通じてＩＣカード１２に書き込まれる。
【００１６】
ＩＣカード１２が接触不良等により正常に動作していない場合は、ＩＣカード異常検出部２１の比較器２１ａが電圧降下を検出しないので、また、ＩＣカード１２が未挿入の場合は、ＡＮＤ回路２１ｂにＩＣカード検出スイッチ１６からの信号が入力されないので、ＡＮＤ回路２１ｂは、いずれの場合も“０”を制御部１７に出力するので、制御部１７ではＩＣカード１２が正常に動作していないと判断して、スピーカ１９または表示器２０を通じてその旨を運転者に知らせる。
【００１７】
このように、本発明の実施の形態によれば、比較器２１ａとＡＮＤ回路２１ｂを備えたＩＣカード異常検出部２１が、ＩＣカード１２に電力を供給する電源１４とＩＣカードコネクタ１３のコンタクトピン１３ａとの間に設けられた抵抗器２２の両端部の電圧降下を検出し、その検出結果をスピーカ１９または表示器２０を通じて運転者に報知するので、この狭域通信装置を自動料金収受装置に利用した場合でも、事前にＩＣカードの動作不良を確認することができ、料金所をスムーズに通過することができる。
【産業上の利用可能性】
【００１８】
以上のように、本発明に係る狭域通信装置は、接点接触式のＩＣカードに記憶されたデータを基に外部と無線通信を行う狭域通信装置において、ＩＣカードコネクタとＩＣカードとの接触不良等を検出できるという効果を有し、狭域通信（ＤＳＲＣ：Dedicated Short Range Communication）装置等として有用である。
【図面の簡単な説明】
【００１９】
【図１】本発明の実施の形態における狭域通信装置の構成を示すブロック図
【図２】従来例における狭域通信装置の構成を示すブロック図
【符号の説明】
【００２０】
１、１１  狭域装置
２、１２  ＩＣカード
３、１３  ＩＣカードコネクタ
４、１４  電源
５、１５  ＩＣカードＩ／Ｆ
５ａ、１５ａ  読み書き部
６、１６  ＩＣカード検出スイッチ
７、１７  制御部
８、１８  無線部
９、１９  スピーカ
１０、２０  表示器
２１  ＩＣカード異常検出部
２１ａ  比較器
２１ｂ  ＡＮＤ回路
２２  抵抗器
【図１】
2005202772.tif 000003
【図２】
2005202772.tif 000004